(57)【特許請求の範囲】
【請求項１】
処置具挿通チャンネルに挿通された処置具の先端部分の突出方向を変えるために、遠隔操作によって作動する処置具起上片が挿入部の先端に配置された内視鏡の処置具起上装置において、
上記処置具起上片が前後方向にスライド自在に上記挿入部の先端に配置されて、上記処置具起上片を操作するための操作ワイヤの先端が上記処置具起上片に後方から連結され、
上記操作ワイヤが基端側から軸線方向に進退操作されると上記処置具起上片が上記挿入部の先端において前後方向にスライドして上記処置具の先端部分の突出方向が変わり、
上記操作ワイヤの基端側をフリーな状態に解放すれば、上記処置具起上片が上記スライド動作の範囲よりさらに前方に移動自在となって、上記処置具起上片とそれに連結された上記操作ワイヤのみを、他の部材から独立して上記挿入部の先端から前方に引き出して取り外すことができることを特徴とする内視鏡の処置具起上装置。
【請求項２】
上記処置具起上片が前後方向以外の方向に移動するのを規制するための移動方向規制手段が設けられている請求項１記載の内視鏡の処置具起上装置。
【請求項３】
上記処置具起上片が、上記挿入部の先端部分の中心軸線を基準にして上記処置具の先端部分が突出する側の半部に配置されている請求項１又は２記載の内視鏡の処置具起上装置。
【請求項４】
上記処置具挿通チャンネルが、上記挿入部の先端部分の中心軸線を基準にして上記処置具起上片と反対側の半部に配置されている請求項３記載の内視鏡の処置具起上装置。
【発明の詳細な説明】
【０００１】
【発明の属する技術分野】
この発明は、内視鏡の挿入部先端から外方に突出される処置具類の突出方向を変えるための内視鏡の処置具起上装置に関する。
【０００２】
【従来の技術】
側方視型内視鏡などにおいては、一般に、処置具挿通チャンネルに挿通された処置具の先端部分の突出方向を変えるための処置具起上片が、挿入部の先端部本体内に支軸によって回動自在に支持され、操作部から進退操作される操作ワイヤにより駆動されて処置具の突出方向を変えることができるようになっている。
【０００３】
しかし、そのような処置具起上片は先端部本体に形成された溝内に配置されているのが普通であり、使用の度に付着する体内汚物等を完全に洗浄して除去するのが難しい。
【０００４】
そこで従来は、処置具起上片が配置された空間を薄いゴム材等の弾性カバーで水密に覆って、処置具はその弾性カバーの外側を通るようにし、体内汚物等が処置具起上片に触れないように配置することが試みられていた（実開平２−９１５０４号公報）。
【０００５】
【発明が解決しようとする課題】
しかし、処置具を起上させて挿脱操作する際には、処置具と処置具起上片との接触部分において大きな摩擦抵抗が発生する。したがって、その部分にゴム材等が用いられていると、処置具の挿脱に非常に大きな操作力量が必要となるので実用性がない。
【０００６】
そこで本発明は、処置具起上片及びその収容部分に付着した体内汚物等を容易に洗浄することができる内視鏡の処置具起上装置を提供することを目的とする。
【０００７】
【課題を解決するための手段】
上記の目的を達成するため、本発明の内視鏡の処置具起上装置は、処置具挿通チャンネルに挿通された処置具の先端部分の突出方向を変えるために、遠隔操作によって作動する処置具起上片が挿入部の先端に配置された内視鏡の処置具起上装置において、処置具起上片を、前後方向にスライド自在に挿入部の先端に配置し、挿入部の先端から前方に引き出して取り外すことができるようにしたものである。
【０００８】
なお、処置具起上片が前後方向以外の方向に移動するのを規制するための移動方向規制手段が設けられていてもよく、処置具起上片のスライド操作が操作ワイヤを介して行われ、処置具起上片を挿入部の先端から前方に引き出すと、それと共に操作ワイヤが引き出されるようにしてもよい。
【０００９】
また、処置具起上片が、挿入部の先端部分の中心軸線を基準にして処置具の先端部分が突出する側の半部に配置されていてもよく、処置具挿通チャンネルが、挿入部の先端部分の中心軸線を基準にして処置具起上片と反対側の半部に配置されていてもよい。
【００１０】
【発明の実施の形態】
図面を参照して本発明の実施例を説明する。
図７は内視鏡を示しており、可撓管によって外装された挿入部１の先端側の部分には、挿入部１の基端に連結された操作部３からの遠隔操作によって任意に屈曲する湾曲部４が形成されている。６は、操作部３に配置された湾曲操作ノブである。
【００１１】
挿入部１内から湾曲部４内には、例えば四フッ化エチレン樹脂チューブ等からなる処置具挿通チャンネル２が全長にわたって挿通されており、挿入部１と操作部３との連結部付近に突設された処置具挿入口７に処置具挿通チャンネル２の基端が接続されている。処置具挿通チャンネル２の先端は、挿入部１の先端部分１ａに配置された先端部本体１０に接続されている。
【００１２】
この実施例の内視鏡は、先端部本体１０の後側半部に光学観察のための観察窓と照明窓が設けられると共に、先側半部に超音波プローブ１１が併設された超音波内視鏡である。ただし、光学観察機能のみの内視鏡であってもよい。
【００１３】
処置具挿通チャンネル２内には各種の処置具１００が挿通されるが、ここでは処置具１００として、例えば体内粘膜に注射を行うための注射具が挿通されている。
【００１４】
処置具１００の先端部分１００ａは、挿入部１の先端部分１ａから側方に突出するが、その突出方向を変化させるための処置具起上片５が先端部本体１０に内蔵されている。処置具起上片５は、操作部３に設けられた起上片操作ノブ８を操作することよって作動する。
【００１５】
図１及び図２は、先端部本体１０の後側半部の側面断面図と平面図であり、観察光軸が斜め前方に向けられた観察窓１２と照明窓１３が、先端部本体１０に形成された斜面１０ａに配置されている。
【００１６】
そして、処置具起上片５を収容する処置具突出室１５が、観察窓１２と照明窓１３との間の位置から真っ直ぐ後方に向かって先端部本体１０に形成されていて、その先端部分が斜面１０ａに開口している。
【００１７】
処置具突出室１５は、先端部本体１０においてその中心軸線を基準として処置具１００の先端部分１００ａが突出する側の半部（図１において上半部）に形成されている。
【００１８】
そして、それと逆側の半部（図１において下半部）に配置された処置具挿通チャンネル２の先端が処置具突出室１５の底面に開口する状態に接続されている。その半部に形成された通路１９には、超音波プローブ１１に入出力される信号を伝送するための信号ケーブル（図示省略）が挿通配置されている。
【００１９】
処置具突出室１５は、先端部本体１０の軸線方向に平行な形状に形成されており、前後方向に細長い棒状に形成された処置具起上片５が、前後方向にスライド自在に処置具突出室１５内に配置されている。
【００２０】
図１におけるＶ−Ｖ断面を図示する図５に示されるように、処置具起上片５と処置具突出室１５は処置具起上片５が処置具突出室１５内に緩く嵌め込まれる台形状の断面形状に形成されている。したがって、処置具起上片５は処置具突出室１５内で前後方向にのみ移動可能であり、処置具起上片５が処置具突出室１５から側方に外れることはない。
【００２１】
処置具突出室１５は先端部本体１０の側面（図１において上方）に開口しているが、後端寄りの部分１５ａは先端部本体１０の側面部分で閉じられて穴状に形成されている。また、処置具突出室１５の先端寄りの部分１５ｂは、台形状でなく底部分の幅の長方形状に形成されている。
【００２２】
処置具起上片５は、全長にわたって断面形状が台形の棒状に形成されていて、操作部３側から進退操作される操作ワイヤ１６の先端が処置具起上片５の後端に連結されている。１７は、基端側が操作部３に達する操作ワイヤ１６のガイド管である。
【００２３】
そして、処置具起上片５の中間部分には、処置具挿通チャンネル２内から突出する処置具１００を通過させるための処置具通過孔５ａが、処置具突出室１５の底面側から先端部本体１０の側方に貫通する形状に形成されている。
【００２４】
その結果、図１に示されるように、処置具起上片５を処置具突出室１５内において先寄りに位置させておけば、処置具１００の先端部分１００ａを処置具挿通チャンネル２内から処置具通過孔５ａを通って斜め前方に突出させることができる。
【００２５】
そして、その状態で操作部３側から操作ワイヤ１６を牽引操作すれば、図３に示されるように、処置具起上片５によって処置具１００の先端部分１００ａが起上されて突出方向が変化する。
【００２６】
このように構成された処置具起上片５は、処置具突出室１５内において前後方向にスライド自在なので、操作部３側において操作ワイヤ１６の基端側を起上片操作ノブ８側の機構とネジ止め等によって連結しておけば、操作ワイヤ１６の基端部を操作部３側で解放して、図４に示されるように、処置具起上片５を処置具突出室１５内から前方に引き出すことができる。
【００２７】
したがって、内視鏡検査が終了したら、処置具起上片５を処置具突出室１５内から取り外して処置具起上片５と処置具突出室１５及び処置具突出室１５の内部を容易に洗浄することができ、さらにガイド管１７内をブラッシング清掃することもできる。このようにして、付着した体内汚物等を容易に除去することができる。
【００２８】
なお、本発明は上記実施例に限定されるものではなく、例えば図６に示されるように、処置具起上片５から側方に鍔５ｂを突設して、その鍔５ｂが係合する溝を処置具突出室１５に形成すれば、処置具起上片５と処置具突出室１５の断面形状を長方形等にしても、処置具起上片５が処置具突出室１５から側方に外れることがない。
【００２９】
【発明の効果】
本発明によれば、処置具起上片を、前後方向にスライド自在に挿入部の先端に配置し、挿入部の先端から前方に引き出して取り外すことができるようにしたことにより、処置具起上片及びその収容部分に付着した体内汚物等を容易に洗浄、除去することができる。
【図面の簡単な説明】
【図１】本発明の実施例の内視鏡の処置具起上装置部分の側面断面図である。
【図２】本発明の実施例の内視鏡の処置具起上装置部分の平面図である。
【図３】本発明の実施例の内視鏡の処置具起上装置部分の処置具の先端部分が起上した状態の側面断面図である。
【図４】本発明の実施例の内視鏡の処置具起上装置部分の処置具起上片が取り外される状態の側面断面図である。
【図５】本発明の実施例の処置具起上片と処置具突出室の図１におけるＶ−Ｖ断面図である。
【図６】本発明の実施例の処置具起上片と処置具突出室の変形例の断面図である。
【図７】本発明が適用された内視鏡の全体外観図である。
【符号の説明】
１  挿入部
１ａ  先端部分
２  処置具挿通チャンネル
３  操作部
５  処置具起上片
５ａ  処置具通過孔
１０  先端部本体
１５  処置具突出室
１６  操作ワイヤ
１００  処置具
【図１】
0004531208.tif 000002
【図２】
0004531208.tif 000003
【図３】
0004531208.tif 000004
【図４】
0004531208.tif 000005
【図５】
0004531208.tif 000006
【図６】
0004531208.tif 000007
【図７】
0004531208.tif 000008